(57)【要約】アーチワイヤを歯牙に取り付けるための歯列矯正用ブラケットであって、歯牙に取り付けるための結合ベースを備えた本体を備え、該本体は、咬合〜歯肉側に広がる開口部、舌側の垂直スロット、１対の横方向に間隔を置いて配置された歯肉側タイウィングおよび１対の横方向に間隔を置いて配置された咬合側タイウィングを有し、該歯肉側および咬合側タイウィングは本体の唇側表面から突出している。アーチワイヤスロットは、アーチワイヤを収容するために、本体を横切って近遠心方向に、かつ本体の向かい合う近心側および遠心側において歯肉側タイウィングと咬合側タイウィングとの間に、延在するように設けられる。一方の端部に少なくとも１つの弾性アーム部材を備え、他方の端部に保持部分を備えているロッキングシャッターは、該ロッキングシャッターが、アーチワイヤの設置および除去が容易である開位置と、アーチワイヤの設置および除去が抑制される閉位置との間を移動可能であるように設けられる。閉位置においてロッキングシャッターの保持部分を着脱可能に保持するために歯肉側タイウィングの咬合側壁部に形成された保持溝部、および、アーチワイヤがアーチワイヤスロットから出て保持溝部の中へ移動するのを防止するための少なくとも１つの閉塞部がさらに提供される。加えて、より幅広いロッキングシャッターは、アーチワイヤの鋭角な屈曲を防止して、初期の歯牙移動の際のアーチワイヤの切欠き形成または拘束および中期的治療の歯牙移動の際の歯牙の滑りを防止することが可能である。
2014512852.tif 000002
【特許請求の範囲】
【請求項１】
アーチワイヤを歯牙に取り付けるための歯列矯正用ブラケットであって、
歯牙に取り付けるための結合ベースを備えた本体であって、該本体は咬合〜歯肉側に広がる開口部、舌側の垂直スロット、１対の横方向に間隔を置いて配置された歯肉側タイウィングおよび１対の横方向に間隔を置いて配置された咬合側タイウィングを有し、かつ前記歯肉側タイウィングおよび咬合側タイウィングは該本体の唇側表面から突出している、本体と、
アーチワイヤスロットであって、アーチワイヤを収容するために、前記本体を横切って近遠心方向に、かつ前記本体の向かい合う近心側および遠心側において歯肉側タイウィングと咬合側タイウィングとの間に、延在する、アーチワイヤスロットと、
一方の端部に少なくとも１つの弾性アーム部材を備え、他方の端部に保持部分を備えているロッキングシャッターであって、前記アーチワイヤの設置および除去が容易である開位置と、前記アーチワイヤの設置および除去が抑制される閉位置との間を移動可能である、ロッキングシャッターと、
前記閉位置において前記ロッキングシャッターの前記保持部分を着脱可能に保持するために前記歯肉側タイウィングの咬合側壁部に形成された保持溝部と、
前記アーチワイヤが前記アーチワイヤスロットから出て前記保持溝部の中へ移動するのを防止するための少なくとも１つの閉塞部と
を含んでなる歯列矯正用ブラケット。
【請求項２】
前記閉塞部は、前記歯肉側タイウィングのうち少なくとも一方の外側表面上の閉塞部材を含んでなる、請求項１に記載の歯列矯正用ブラケット。
【請求項３】
前記閉塞部は、前記歯肉側タイウィングのうち少なくとも一方の内側表面上の閉塞部材を含んでなる、請求項１に記載の歯列矯正用ブラケット。
【請求項４】
前記閉塞部材は矩形のブロックを含んでなる、請求項２に記載の歯列矯正用ブラケット。
【請求項５】
前記歯肉側タイウィングは、タイウィング本体と、前記タイウィング本体から延びる唇側に湾曲した部分と、前記タイウィング本体と一体的に形成されかつ前記タイウィング本体から遠ざかるように延びる閉塞部分とを含んでなり；前記閉塞部分は前記アーチワイヤが前記アーチワイヤスロットから出て前記保持溝部の中へ移動するのを防止するための手段を形成する、請求項１に記載の歯列矯正用ブラケット。
【請求項６】
前記閉塞部材は、前記歯肉側タイウィングの歯肉側端面と位置合わせされた長尺端面、および、前記歯肉側タイウィングの前端面と位置合わせされた短尺端面を含んでなる、請求項１に記載の歯列矯正用ブラケット。
【請求項７】
アーチワイヤを歯牙に取り付けるための歯列矯正用ブラケットであって、
歯牙に取り付けるための結合ベースを備えた本体であって、該本体は咬合〜歯肉側に広がる開口部、舌側の垂直スロット、１対の横方向に間隔を置いて配置された歯肉側タイウィングおよび１対の横方向に間隔を置いて配置された咬合側タイウィングを有し、かつ前記歯肉側タイウィングおよび咬合側タイウィングは該本体の唇側表面から突出している、本体と、
アーチワイヤスロットであって、アーチワイヤを収容するために、前記本体を横切って近遠心方向に、かつ前記本体の向かい合う近心側および遠心側において歯肉側タイウィングと咬合側タイウィングとの間に、延在する、アーチワイヤスロットと、
少なくとも１つの弾性アーム部材を備えているロッキングシャッターであって、前記アーチワイヤの設置および除去が容易である開位置と、前記アーチワイヤの設置および除去が抑制される閉位置との間を移動可能であるロッキングシャッターと、
前記閉位置において前記ロッキングシャッターの保持部分を着脱可能に保持するために前記歯肉側タイウィングの咬合側壁部に形成された保持溝部と、
前記歯肉側タイウィングのうち少なくとも一方の外側表面上の閉塞部材と、
を含んでなり、
前記閉塞部材は、前記アーチワイヤと前記ブラケットとの間の接触面積を増大させる、歯列矯正用ブラケット。
【請求項８】
前記閉塞部材は前記歯肉側タイウィングと一体的に形成される、請求項７に記載の歯列矯正用ブラケット。
【請求項９】
前記閉塞部材は矩形のブロックを含んでなる、請求項７に記載の歯列矯正用ブラケット。
【請求項１０】
前記閉塞部材は前記アーチワイヤスロットの外端を越えて延在し、前記保持溝部を包囲するような大きさその他の寸法に形成される、請求項７に記載の歯列矯正用ブラケット。
【請求項１１】
前記閉塞部材は、前記歯肉側タイウィングの歯肉側端面と位置合わせされた長尺端面、および、前記歯肉側タイウィングの前端面と位置合わせされた短尺端面を含んでなる、請求項７に記載の歯列矯正用ブラケット。
【請求項１２】
アーチワイヤが歯列矯正用ブラケットのアーチワイヤスロットから出て保持溝部の中へと移動するのを防止する方法であって、該歯列矯正用ブラケットは、歯牙に取り付けるための結合ベースを備えた本体であって、該本体は咬合〜歯肉側に広がる開口部、舌側の垂直スロット、１対の横方向に間隔を置いて配置された歯肉側タイウィングおよび１対の横方向に間隔を置いて配置された咬合側タイウィングを有し、かつ前記歯肉側タイウィングおよび咬合側タイウィングは該本体の唇側表面から突出している、本体と；アーチワイヤスロットであって、アーチワイヤを収容するために、前記本体を横切って近遠心方向に、かつ前記本体の向かい合う近心側および遠心側において歯肉側タイウィングと咬合側タイウィングとの間に、延在する、アーチワイヤスロットと；少なくとも１つの弾性アーム部材を備えているロッキングシャッターであって、前記アーチワイヤの設置および除去が容易である開位置と、前記アーチワイヤの設置および除去が抑制される閉位置との間を移動可能であるロッキングシャッターと；前記閉位置において前記ロッキングシャッターの保持部分を着脱可能に保持するために前記歯肉側タイウィングの咬合側壁部に形成された保持溝部と、を含んでなり、
該方法は、前記保持溝部の端部を閉塞せしめることにより前記アーチワイヤが移動して保持溝部に入るのを防止することを含んでなる、方法。
【請求項１３】
歯列矯正用ブラケットに対してアーチワイヤによって加えられる垂直方向の回動力を増大させる方法であって、該歯列矯正用ブラケットは、歯牙に取り付けるための結合ベースを備えた本体であって、該本体は咬合〜歯肉側に広がる開口部、舌側の垂直スロット、１対の横方向に間隔を置いて配置された歯肉側タイウィングおよび１対の横方向に間隔を置いて配置された咬合側タイウィングを有し、かつ前記歯肉側タイウィングおよび咬合側タイウィングは該本体の唇側表面から突出している、本体と；アーチワイヤスロットであって、アーチワイヤを収容するために、前記本体を横切って近遠心方向に、かつ前記本体の向かい合う近心側および遠心側において歯肉側タイウィングと咬合側タイウィングとの間に、延在する、アーチワイヤスロットと；少なくとも１つの弾性アーム部材を備えているロッキングシャッターであって、前記アーチワイヤの設置および除去が容易である開位置と、前記アーチワイヤの設置および除去が抑制される閉位置との間を移動可能であるロッキングシャッターと；前記閉位置において前記ロッキングシャッターの保持部分を着脱可能に保持するために前記歯肉側タイウィングの咬合側壁部に形成された保持溝部と、を含んでなり、
該方法は、前記保持溝部を包囲し、かつそれにより前記アーチワイヤが接触する前記歯肉側タイウィング上の表面積を増大させるために、前記歯肉側タイウィングの外側表面を拡張することを含んでなる、方法。
【発明の詳細な説明】
【技術分野】
【０００１】
本発明は、歯列矯正用ブラケットの分野に関し、より具体的には、アーチワイヤの望ましからぬ動きを制限する手段を有する歯列矯正用ブラケットに関する。
【背景技術】
【０００２】
歯列矯正治療は、歯列矯正用ブラケットと呼ばれることの多い小型の器具を適切な方法で患者の歯に固定して、概ね固定された歯列矯正用ブラケットの間を延びるアーチワイヤによって歯列不正の歯牙に外力を加えてその歯列不正の歯牙を矯正することにより、行われる。これらの歯列矯正用ブラケットの構造に関し、該ブラケットは小さなスロットを有する本体で構築され、歯牙の唇側もしくは舌側に直接接着せしめられるか、または、歯牙に取り付けられた金属バンドにセメント接着もしくは当分野で一般に知られているような何らかの他の方法によって溶接される。
【０００３】
上述のように構築された歯列矯正用ブラケットの使用形態として、歯列弓に合致するように湾曲した可撓性アーチワイヤがブラケットのアーチワイヤスロット内に配置され、歯牙は、時間を経るにつれてアーチワイヤの復元力により移行せしめられる結果、適切に整列するようになることができる。歯列矯正用ブラケットを用いると、歯牙が位置ずれ、捻転、傾斜、ねじれを生じた（ｔｏｒｑｕｅｄ）方向を矯正するために歯牙に対して所望の方向に力を加えることができる。これは、ブラケット本体に形成されたスロットの三次元的傾きにより、またはアーチワイヤを所望どおりに曲げ加工することにより達成される。
【０００４】
従来の歯列矯正用ブラケットはタイウィングを有し、結紮線またはエラストマー製結紮リングが該タイウィングに掛止されて、アーチワイヤを確実に保持してアーチワイヤがブラケットのスロットから出て来るのを防止するようになっている。治療されるべき歯列は不正咬合の歯列であり、不正咬合の歯列ではアーチワイヤは係合時に大きく変形せしめられる。歯列矯正治療は、ブラケットを通して歯根にアーチワイヤの復元力を伝えることによって行われる。一般に、治療の初期においては、細くて可撓性の高い円形のアーチワイヤが用いられ、この円形ワイヤがスロット内部で自由に（極めて低摩擦で）摺動するように、結紮線を結紮した後で該結紮線を緩める操作が必要である。治療が進むにつれて、より太いワイヤ、正方形または長方形のワイヤ、および一層剛性の高いワイヤが使用されるようになる。歯列矯正がほぼ完了すると、該ワイヤは後戻りを防ぐためにしばらくの間保定される。この時、歯牙が実際に移行しないように結紮線によって強く固定される場合がある。
【０００５】
上述のような矯正治療では、多種類の様々なアーチワイヤが治療の過程において次々に使用される。患者がクリニックを訪問している期間に、結紮線を取り外してアーチワイヤの曲がりを調節するかまたはアーチワイヤを交換することが必要である。この操作は長い治療時間を要し、患者に不自由を強いる。
【０００６】
この種の結紮線の使用に起因する様々な問題点は、ロック式の歯列矯正用ブラケットを使用することによりある程度まで克服することができる。すなわち、このロック式の歯列矯正用ブラケットは、結紮用のタイワイヤを必要としない構造を有し、かつブラケット内に組み込まれてブラケットのスロットを開閉するために移動可能なロック部材を有する。ロック部材としては、例えば、回動式および摺動式のロック部材がある。ロック部材は開位置および閉位置のうち少なくともいずれかに移動することができるので、それにより、アーチワイヤをスロット内に保持するかまたはアーチワイヤをスロットから解放するかが容易に行われうる。上述のような歯列矯正用ブラケットの一例は、２００１年１月２日にヴードリス（Ｖｏｕｄｏｕｒｉｓ）に付与された特許文献１に示されている。
【０００７】
１つのそのような従来技術のブラケット１０は図１および図２に示されており、歯に取り付けるための結合ベース３０を有する本体２５を備えている。本体は、咬合〜歯肉側に広がる開口部３５、舌側の垂直スロット４０、１対の横方向に間隔を置いて配置された歯肉側タイウィング５０、および１対の横方向に間隔を置いて配置された咬合側タイウィング４５を備えている。歯肉側タイウィング５０および咬合側タイウィング４５は本体２５の唇側表面５５から突出し、咬合側タイウィング４５は、該咬合側タイウィング４５を通すようにロッキングシャッター７０の１以上のアーム部材６５を受承するための１つ以上の溝部６０を画成している。アーチワイヤスロット９５は、アーチワイヤ８０を収容するために、本体２５を横切って近遠心方向に、かつ該本体の向かい合う近心側および遠心側において歯肉側タイウィング５０と咬合側タイウィング４５との間に、延在するように設けられる。ロッキングシャッター７０は、アーチワイヤの設置および除去が容易である開位置と、アーチワイヤの設置および除去が抑制される（図のような）閉位置との間を移動可能である。閉位置では、ロッキングシャッター７０の保持部分８５は、各々の歯肉側タイウィング５０においてアーチワイヤスロット９５に隣接して形成された保持溝部９０に摩擦嵌合せしめられる。通常の使用時には、図２Ａに示されるようにロッキングシャッター７０が閉位置にあるとき、アーチワイヤ８０はアーチワイヤスロット９５に押し込まれて該スロット内に完全に収まる。しかしながら、出願人は、図２Ｂに示されるように、予期せぬ大きな外力がアーチワイヤ８０に加わるとアーチワイヤ８０が滑り出て保持溝部９０に入り、該溝部に閉じ込められる可能性があることを発見した。図２Ａおよび２Ｂは、例証するために誇張された寸法比の保持溝部９０を備えて示されている。
【０００８】
そのような状態においては、アーチワイヤは該ワイヤが収まるべきアーチワイヤスロットの内部に円滑に移動できず、その結果、矯正治療の妨げとなり該治療中の不均等な歯牙移動がもたらされる。そのような状態を回避するために、保持溝部の幅Ｗの短縮が提言されているが、幅Ｗが短縮されると、ロッキングシャッターの機能が、特に該ロッキングシャッターが幅の狭い円形ワイヤからフルサイズの正方形ワイヤに至るワイヤ類を押し下げる能力について、損なわれる。
【０００９】
さらに、予期せぬ大きな外力がアーチワイヤに加わると、アーチワイヤがねじれるためロッキングシャッターの先端部分が変形する可能性があり、これによりアーチワイヤの保持が不安定となってアーチワイヤスロットから引き出されてしまうようになるという問題もあった。特許文献２に開示された構造物では、ロック部材の先端部分の配置状態が保持溝部の両端部を閉止するような方式で制約される配置構成が示されている。しかしながらそのような構造物においては、該配置構成は保持溝部の両端部を閉止するように提供されるので、ロック部材の先端部分の幅は必然的にスロットの長さより短くなされなければならない。従って、ロック部材の先端部分の、アーチワイヤを保持するための長さが短くされるので、該先端部分の回動制御が不十分であるという点において欠点があった。第２の問題は、ロッキングシャッターをより小さく、したがって比較的弱くすることにより、アーチワイヤに対して締め付けを行う力も小さくなることである。
【先行技術文献】
【特許文献】
【００１０】
【特許文献１】米国特許第６，１６８，４２８号明細書
【特許文献２】米国特許第５，９０６，４８６号明細書
【発明の概要】
【発明が解決しようとする課題】
【００１１】
したがって、当分野において、アーチワイヤの保持が改善されており、かつ従来技術に伴う前述の問題点のうち１つ以上に対処する歯列矯正用ブラケットが必要とされている。
【課題を解決するための手段】
【００１２】
本発明の１つの実施形態によれば、アーチワイヤを歯牙に取り付けるための歯列矯正用ブラケットであって、歯牙に取り付けるための結合ベースを備えた本体を備え、該本体は、咬合〜歯肉側に広がる開口部、舌側の垂直スロット、１対の横方向に間隔を置いて配置された歯肉側タイウィングおよび１対の横方向に間隔を置いて配置された咬合側タイウィングを有し、該歯肉側および咬合側タイウィングは本体の唇側表面から突出している、歯列矯正用ブラケットが提供される。アーチワイヤスロットは、アーチワイヤを収容するために、本体を横切って近遠心方向に（ｍｅｓｄｉｏｄｉｓｔａｌｌｙ）、かつ本体の向かい合う近心側および遠心側において歯肉側タイウィングと咬合側タイウィングとの間に、延在するように設けられる。一方の端部に少なくとも１つの弾性アーム部材を備え、他方の端部に保持部材を備えているロッキングシャッターは、該ロッキングシャッターが、アーチワイヤの設置および除去が容易である開位置と、アーチワイヤの設置および除去が抑制される閉位置との間を移動可能であるように提供される。閉位置においてロッキングシャッターの保持部分を着脱可能に保持するために歯肉側タイウィングの咬合側壁部に形成された保持溝部、および、アーチワイヤがアーチワイヤスロットから出て保持溝部の中へ移動するのを防止するための閉塞部がさらに提供される。
【００１３】
本発明の１つの態様によれば、閉塞部は、歯肉側タイウィングのうち少なくとも一方の外側表面上の閉塞部材である。
本発明の別の態様によれば、閉塞部は、歯肉側タイウィングのうち少なくとも一方の内側表面上の閉塞部材である。
【００１４】
本発明の別の態様によれば、閉塞部材は矩形のブロックである。
本発明の別の態様によれば、歯肉側タイウィングは、タイウィング本体と、タイウィング本体から延びる唇側に湾曲した部分と、タイウィング本体と一体的に形成されかつタイウィング本体から遠ざかるように近遠心方向に（ｍｅｓｉｏｄｏｎｔａｌｌｙ）延びる閉塞部分とを備え；該閉塞部分はアーチワイヤがアーチワイヤスロットから出て保持溝部の中へ移動するのを防止するための手段を形成する。
【００１５】
本発明の別の態様によれば、閉塞部材は、歯肉側タイウィングの歯肉側端面と位置合わせされた長尺端面、および、歯肉側タイウィングの前端面と位置合わせされた短尺端面を備えている。
【００１６】
本発明の別の実施形態によれば、アーチワイヤを歯牙に取り付けるための歯列矯正用ブラケットであって、歯牙に取り付けるための結合ベースを備えた本体を備え、該本体は、咬合〜歯肉側に広がる開口部、舌側の垂直スロット、１対の横方向に間隔を置いて配置された歯肉側タイウィングおよび１対の横方向に間隔を置いて配置された咬合側タイウィングを有し、該歯肉側および咬合側タイウィングは本体の唇側表面から突出している、歯列矯正用ブラケットが提供される。アーチワイヤスロットは、アーチワイヤを収容するために、本体を横切って近遠心方向に（ｍｅｓｄｉｏｄｉｓｔａｌｌｙ）、かつ本体の向かい合う近心側および遠心側において歯肉側タイウィングと咬合側タイウィングとの間に、延在するように設けられる。一方の端部に少なくとも１つの弾性アーム部材を備え、他方の端部に保持部材を備えているロッキングシャッターは、該ロッキングシャッターが、アーチワイヤの設置および除去が容易である開位置と、アーチワイヤの設置および除去が抑制される閉位置との間を移動可能であるように提供される。閉位置においてロッキングシャッターの保持部分を着脱可能に保持するために歯肉側タイウィングの咬合側壁部に形成された保持溝部、および、アーチワイヤがアーチワイヤスロットから出て保持溝部の中へ移動するのを防止するための閉塞部がさらに提供される。好ましくは、該閉塞部は、アーチワイヤとブラケットとの間の接触面積の増大によりアーチワイヤからブラケットに加わるトルクを増大させる。
【００１７】
この実施形態の態様によれば、閉塞部材は歯肉側タイウィングと一体的に形成される。
この実施形態の別の態様によれば、閉塞部材は矩形のブロック構造物を備えている。
この実施形態の別の態様によれば、閉塞部材はアーチワイヤスロットの外端を越えて延在し、保持溝部を包囲するような大きさその他の寸法に形成される。
【００１８】
この実施形態の別の態様によれば、閉塞部材は、歯肉側タイウィングの歯肉側端面と位置合わせされた長尺端面、および、歯肉側タイウィングの前端面と位置合わせされた短尺端面を備えている。
【００１９】
本発明の別の実施形態によれば、アーチワイヤが歯列矯正用ブラケットのアーチワイヤスロットから出て保持溝部の中へと移動するのを防止する方法であって、歯列矯正用ブラケットは本明細書中に記載されるようなものである方法が提供される。該方法は、保持溝部の端部を閉塞せしめることによりアーチワイヤが移動して保持溝部に入るのを防止することを含む。
【００２０】
本発明の別の実施形態によれば、歯列矯正用ブラケットに対してアーチワイヤによって加えられる、垂直軸および水平軸におけるトルク制御および回動制御を高める方法であって、歯列矯正用ブラケットは本明細書中に記載されるようなものである方法が提供される。該方法は、保持溝部を包囲し、かつそれによりアーチワイヤが接触する歯肉側タイウィング上の表面積を増大させるために、歯肉側タイウィングの外側表面を拡張することを含む。
【００２１】
本発明の構造、組織、用途、および操作方法に関する、本発明の特徴であると考えられる新規な特徴は、本発明のさらなる目的および利点と合わせて、現時点で好ましい本発明の実施形態が例示のためにここで例証されることになる以下の図面から、さらに十分に理解されるであろう。しかしながら、明らかに了解されることであるが、図面は単に例証および説明を目的とするものであり、本発明の範囲を限定するものとしては意図されていない。添付図面は以下の通りである。
【図面の簡単な説明】
【００２２】
【図１Ａ】従来技術のブラケットを例証する図。
【図１Ｂ】従来技術のブラケットを例証する図。
【図２Ａ】従来技術のブラケットに関する１つの問題点を例証する図。
【図２Ｂ】従来技術のブラケットに関する１つの問題点を例証する図。
【図３Ａ】本発明による歯列矯正用ブラケットの１つの実施形態を例証する図。
【図３Ｂ】本発明による歯列矯正用ブラケットの１つの実施形態を例証する図。
【図４Ａ】本発明による歯列矯正用ブラケットの別の実施形態を例証する図。
【図４Ｂ】本発明による歯列矯正用ブラケットの別の実施形態を例証する図。
【図４Ｃ】本発明による歯列矯正用ブラケットの別の実施形態を例証する図。
【図４Ｄ】本発明による歯列矯正用ブラケットの別の実施形態を例証する図。
【図５Ａ】本発明による歯列矯正用ブラケットの別の実施形態を例証する図。
【図５Ｂ】本発明による歯列矯正用ブラケットの別の実施形態を例証する図。
【図６Ａ】本発明による歯列矯正用ブラケットの別の実施形態を例証する図。
【図６Ｂ】本発明による歯列矯正用ブラケットの別の実施形態を例証する図。
【図７Ａ】治療中の本発明による歯列矯正用ブラケットの実施形態を例証する図。
【図７Ｂ】治療中の本発明による歯列矯正用ブラケットの実施形態を例証する図。
【図８】本発明によってもたらされる回動制御の改善を示す図。
【発明を実施するための形態】
【００２３】
ここで図３Ａ〜３Ｂを参照すると本発明の１つの実施形態が示されており、該実施形態において、歯列矯正用ブラケット３１０は、歯牙（図示せず）に取り付けるための結合ベース３３０を有する本体３２５を備えているものとして例証されている。本体３２５は、好ましくは、アーチワイヤより舌側にある咬合〜歯肉側に広がる開口部３３５と、１対の横方向に間隔を置いて配置された歯肉側タイウィング３５０と、１対の横方向に間隔を置いて配置された咬合側タイウィング３４５とを備えている。歯肉側タイウィング３５０および咬合側タイウィング３４５は本体３２５の唇側表面３５５から突出し、咬合側タイウィング３４５は、咬合側タイウィング３４５を通るようにロッキングシャッター３７０のアーム部材３６５を受承するための溝部３６０を画成している。アーチワイヤスロット３９５は、アーチワイヤ３８０を収容するために、本体３２５を横切って近遠心方向に、かつ本体３２５の向かい合う近心側および遠心側において歯肉側タイウィング３５０と咬合側タイウィング３４５との間に延びるように、設けられる。ロッキングシャッター３７０は、アーチワイヤの設置および除去が容易である開位置と、（図のように）アーチワイヤの設置および除去が抑制される閉位置との間を移動可能である。閉位置では、ロッキングシャッター３７０の保持部分３８５は、歯肉側タイウィング３５０それぞれにおいてアーチワイヤスロット３９５に隣接して形成された保持溝部３９０の中へ圧迫嵌合（またはその他の方法）ではめこまれる。本発明のいくつかの変形形態では、ロッキングシャッター３７０のアーム部材３６５は２つのアーム部材から構成されて、該アーム部材の、咬合側タイウィング３４５の溝部３６０に接触する大きさや寸法に形成された部分だけが存在するようになっていてもよい。アーム部材の様々な改変は本発明から逸脱することなく行われることが可能であり、当然ながら、アーム部材の設計および形状は、摩擦嵌合、圧迫嵌合、またはスナップ嵌合の配置構成においてロッキングシャッターの錠止および開放を容易にするようになっている。
【００２４】
当然のことであるが、咬合側タイウィングおよび歯肉側タイウィングという用語は、患者の歯牙上におけるブラケットの相対的配置状態に応じて容易に相互交換されうる。すなわち、ブラケットがユーザの口の下部に配置される場合、歯肉側タイウィングは歯肉に近いブラケットの下部に位置するタイウィングであり、ブラケットがユーザの口の上部に配置される場合、歯肉側タイウィングは歯肉に近いブラケットの上部に位置するタイウィングである。本明細書中に記載されるような歯列矯正用ブラケットはこのように、歯肉側タイウィングに関して記載された要素および特徴が咬合側タイウィングに現われることも考えられるし、その逆もありうる。
【００２５】
ロッキングシャッター３７０は、過度な負荷状態の下で、アーチワイヤ３８０をブラケットの概ね内側に、特に保持溝部３９０の内側に錠止するように機能する一方、アーチワイヤ３８０の張力は、ロッキングシャッター３７０をわずかに移動させ、それによりアーチワイヤ３８０が滑動して保持溝部３９０の中に入るのを可能にするのに十分な高さである可能性がある。従って、本発明は、アーチワイヤ３８０がアーチワイヤスロット３９５から出て保持溝部３９０の中へ移動するのを防止するための手段を提供する。図３Ａおよび３Ｂの実施形態では、該防止手段は、歯肉側タイウィング３５０のそれぞれの外側表面３５５のうち一方または両方に剛結合された閉塞部材３０５を備えている。閉塞部材３０５は溶接によって外側表面３５５に接続されてもよいし、別例として、歯肉側タイウィング３５０上でねじ締結をなすねじ部品（図示せず）が提供されてもよい。この配置構成を用いて、閉塞部材３０５が既存の歯列矯正用ブラケット上に組込まれてもよいし、または他の方法で、アーチワイヤ３８０の特定の大きさおよび形状を前提として該閉塞部材が必要かどうかにより付加もしくは除去のうち少なくともいずれかが行われてもよい。
【００２６】
図のように、閉塞部材３０５は、好ましくは、歯肉側タイウィング３５０の歯肉側端面３５２と位置合わせされた長尺端面３０７、および、歯肉側タイウィング３５０の前端面または唇側端面３５４と位置合わせされた短尺端面３０９を有するほぼ矩形のブロック形状の部材である。好ましい実施形態では、閉塞部材３０５の端面は歯肉側タイウィング３５０から近心側または遠心側に延び、かつ歯列矯正用ブラケットにいかなる鋭角部も伴わないようにラウンド処理されるか、面取りされるか、または他の方法で平滑化される。従って、保持溝部３９０へ向かう方向のアーチワイヤ上のいかなる張力も、保持溝部３９０に近接した閉塞部材３０５の部分によって抑制されることになるので、アーチワイヤ３８０はもはや保持溝部３９０に入るのを完全に妨げられていることは当業者には十分に理解されるであろう。この配置構成のさらなる驚くべき利点は、アーチワイヤ３８０がブラケット内のアーチワイヤスロット３９５の中心点からさらに離れて支持され、したがって、より有効な移動のためのより高いモーメントおよびトルクが歯列矯正用ブラケット上にかかり、かつ、歯列矯正上の歯牙の水平化（ｌｅｖｅｌｉｎｇ）、減捻（ｄｅｒｏｔａｔｉｏｎ）およびトルク制御の有効性が改善される。さらに、ロッキングシャッターの中心からの距離がより広く、より離れるほど、アーチワイヤの鋭角な屈曲が防止されて初期の歯牙移動の際のアーチワイヤの切り欠き（ｎｏｔｃｈｉｎｇ）または拘束（ｂｉｎｄｉｎｇ）および中期的治療の歯牙移動の際の歯牙の滑りが防止される。
【００２７】
ここで図６および７を参照すると、治療中の、本発明による歯列矯正用ブラケットが示されている。図６では、アーチワイヤ３８０は歯牙のまわりの一貫した湾曲にほぼ追随し、急激なずれまたは方向変化を生じていない。これは、回転方向の位置ずれまたは唇側への位置ずれが生じている歯牙について治療が必要な場合であろう。図７では、１つの歯牙７５５が隣接する歯牙７５０よりも歯肉側方向に低い位置にある。これを調整するために、有効な矯正治療が提供されている間、歯列矯正用ブラケット７１０はブラケット６５０より低い位置にあり、従ってアーチワイヤ３８０は沈んで「Ｕ」字形状に近くなる。本明細書中に記載されるような閉塞部材３０５を提供することにより、「Ｕ」の下側部分が伸ばされて、その結果アーチワイヤ３８０のより広い部分に歯列矯正用ブラケット７１０からの力が作用するようになり、従って、アーチワイヤ３８０が沈んで「Ｕ」字形状に近くなりかつ歯列矯正用ブラケットの一部と接触する領域についてアーチワイヤに加わる圧力は低くなる。このことは、治療期間中のアーチワイヤ３１０の摩耗を少なくし、さらに、損傷、摩耗、または変形、例えばワイヤの切り欠き（ｎｏｔｃｈｉｎｇ）であって歯列矯正用デバイスが歯列矯正医によって患者に施用されている時にこの切り欠きのあるアーチワイヤにブラケットが拘束されて歯牙の移動に抵抗することになる切り欠き、などの可能性も低減する。
【００２８】
ここで図４Ａ〜４Ｃを参照すると、歯列矯正用ブラケット４１０が歯牙（図示せず）に取り付けるための結合ベース４３０を有する本体４２５を備えているものとして例証されている本発明の別の実施形態が示されている。本体４２５は、好ましくは、アーチワイヤスロットより舌側に位置する咬合〜歯肉側に広がる開口部４３５と、１対の横方向に間隔を置いて配置された歯肉側タイウィング４５０と、１対の横方向に間隔を置いて配置された咬合側タイウィング４４５とを備えている。歯肉側タイウィング４５０および咬合側タイウィング４４５は本体４２５の唇側表面４５５から突出している。アーチワイヤスロット４９５（図４Ｃに示される）は、アーチワイヤ４８０を収容するために、本体４２５を横切って近遠心方向に、かつ本体４２５の向かい合う近心側および遠心側において歯肉側タイウィング４５０と咬合側タイウィング４４５との間に、延在するように設けられている。ロッキングシャッター４７０は、アーチワイヤの設置および除去が容易である開位置と、（図のように）アーチワイヤの設置および除去が抑制される閉位置との間を移動可能である。閉位置では、ロッキングシャッター４７０の保持部分４８５は、歯肉側タイウィング４５０それぞれにおいてアーチワイヤスロット４９５に隣接して形成された保持溝部４９０の中へ圧迫嵌合（またはその他の方法）ではめこまれる。ロッキングシャッター４７０のアーム部材４６５は、ブラケット本体の錠止部４６０に接触する大きさや寸法に形成される。アーム部材の様々な改変は本発明から逸脱することなく行われることが可能であり、当然ながら、アーム部材の設計および形状は、摩擦嵌合、圧迫嵌合、またはスナップ嵌合の配置構成においてロッキングシャッターの錠止および開放を容易にするようになっている。このようにロッキングシャッターは、図面に示されるように、保持溝部へのより強力な圧迫嵌合を提供するために堅固になされうる。
【００２９】
この実施形態では、歯肉側タイウィング４５０は、アーチワイヤ４８０がアーチワイヤスロット４９５から出て保持溝部４９０の中に入るのを防止するための手段を該歯肉側タイウィング自体が備えるような大きさ、形状、およびその他の寸法に形成される。本発明による新規な歯肉側タイウィング４５０は、好ましくは、歯牙から遠ざかる方向に歯列矯正用ブラケットの本体４２５から延びるタイウィング本体４５２を備え、唇側に湾曲した部分４５４が該タイウィング本体４５２から延びている。タイウィング本体４５２の保持溝部４９０は本体４２５のアーチワイヤスロット４９５に隣接して形成される。タイウィング本体４５２と一体的に形成され、かつタイウィング本体４５２から近遠心方向に（ｍｅｓｉｏｄｏｎｔａｌｌｙ）に離れる方向に延びる閉塞部分４５６がさらに提供される。閉塞部分４５６は、保持溝部４９０の終端である歯肉側タイウィング４５０の表面を越えて延びて、保持溝部４９０が歯列矯正用ブラケットの本体４２５を通って延びるが歯肉側タイウィング４５０の外側閉塞部分４５６は通らないようになっている。
【００３０】
ここで図５Ａおよび５Ｂを参照すると、本発明の別の実施形態が示されており、該実施形態では、アーチワイヤがアーチワイヤスロットから保持溝部の中へ移動するのを防止するための手段は、歯肉側タイウィング５５０の内側表面５５５のうち一方または両方に設けられた閉塞部材５０５を備えている。閉塞部材５０５は、図３Ａおよび３Ｂに関して記載された閉塞部材３０５に対応する形状および大きさに形成されることが好ましい。歯肉側タイウィング５５０の内側表面５５５に閉塞部材５０５を設けることにより提供される利点は、閉塞部材５０５が、歯列矯正用ブラケット５１０の被保護領域の完全に内側に配置されて、治療期間中に患者の舌が歯列矯正用ブラケット５１０の中の凹凸差（ｄｉｆｆｅｒｅｎｃｅ）を感じないようになっていることである。いかなる場合にも、図面および説明から明白となるように、歯肉側タイウィング５５０のうち一方または両方の内側表面５５５の閉塞部材５０５は、アーチワイヤ５８０が保持溝部５９０に入るのを防止する。
【００３１】
本発明の別の実施形態では、図６Ａおよび６Ｂに示されるように、歯牙（図示せず）に取り付けるための結合ベース６３０を備えた本体６２５を有する歯列矯正用ブラケット６１０が提供される。本体６２５は、好ましくは、咬合〜歯肉側に広がる開口部６３５と、１対の横方向に間隔を置いて配置された歯肉側タイウィング６５０と、１対の横方向に間隔を置いて配置された咬合側タイウィング６４５とを備えている。歯肉側タイウィング６５０および咬合側タイウィング６４５は本体６２５の唇側表面６５５から突出し、咬合側タイウィング６４５は、該咬合側タイウィング６４５を通してロッキングシャッター６７０のアーム部材６６５を受承するための溝部６６０を画成している。アーチワイヤスロット６９５は、アーチワイヤ６８０を収容するために、本体６２５を横切って近遠心方向に、かつ本体６２５の向かい合う近心側および遠心側において歯肉側タイウィング６５０と咬合側タイウィング６４５との間に、延在するように設けられている。ロッキングシャッター６７０は、アーチワイヤの設置および除去が容易である開位置と、（図のように）アーチワイヤの設置および除去が抑制される閉位置との間を移動可能である。閉位置では、ロッキングシャッター６７０の保持部分６８５は、歯肉側タイウィング６５０それぞれにおいて、アーチワイヤスロット６９５に隣接して形成された保持溝部６９０の中へ圧迫嵌合される。
【００３２】
この実施形態では、歯肉側タイウィング６５０は、アーチワイヤ６８０がアーチワイヤスロット６９５から出て保持溝部６９０の中に入るのを防止するための手段を該歯肉側タイウィングが備えるような大きさ、形状、およびその他の寸法に形成される。本発明による新規な歯肉側タイウィング６５０は、好ましくは、歯牙から遠ざかる方向に歯列矯正用ブラケットの本体６２５から延びるタイウィング本体６５２を備え、唇側に湾曲した部分６５４が該タイウィング本体４５２から延びている。タイウィング本体６５２の保持溝部６９０は本体６２５のアーチワイヤスロット６９５に隣接して形成される。タイウィング本体６５２と一体的に形成され、かつタイウィング本体６５２から近遠心方向に（ｍｅｓｉｏｄｏｎｔａｌｌｙ）に離れるように延びる閉塞部分６５６がさらに提供される。閉塞部分６５６は、保持溝部６９０の終端である歯肉側タイウィング６５０の表面を越えて延び、保持溝部６９０が歯列矯正用ブラケットの本体６２５を通って延びるが歯肉側タイウィング６５０の閉塞部分６５６は通らないようになっている。この配置構成を用いれば、従来技術において提供されるような十分な幅のロッキングシャッター６７０が使用可能であり、また、例証されるように、ロッキングシャッター６７０が改変される必要もないであろう。好ましくは、この実施形態による歯肉側タイウィング５５０の縁部はラウンド処理されるかまたは他の方法で平滑化される。
【００３３】
当業者には当然のことであるが、本明細書中に記載された発明は、図面において概説されかつ本明細書中に記載された歯列矯正用ブラケットについての変更に適用されうる。しかしながら、特に、本発明は、それぞれのタイウィングの間に上述の垂直方向の空間を備えた、当分野において「シャムツインブラケット（ｓｉａｍｅｓｅ  ｔｗｉｎ  ｂｒａｃｋｅｔ）」として知られた種類の歯列矯正用ブラケットに主として適用可能である。この種類のブラケットは（モノブロック型ブラケットまたはシングルブラケットとは対照的に）、本明細書中に議論されるような問題点を有する傾向があり、従って、本発明はこれらのシャムツインブラケットに付随するような問題を解決する。モノブロック型ブラケットまたはシングルブラケットは本明細書中に記載されたようなタイウィングを持たず、従って保持溝部内に長い接触表面を有し、その結果としてロッキングシャッターに対してより容易に改変がなされることが可能となっている。しかしながら、当分野で知られているように、モノブロック型ブラケットまたはシングルブラケットは、歯牙の減捻のような矯正治療において他の不具合を抱えている。従って、また、これらのモノブロック型ブラケットの一般的な形状に基づくと、本発明は、これらの種類のブラケットおよび特に内側閉塞部材を有する実施形態には、一般に適用可能ではない。
【００３４】
先述のように、本明細書中に記載されたような本発明のある種の実施形態の別の１つの利点は、ロッキングシャッターを保持するためにアーチワイヤスロットから保持溝部の中へのアーチワイヤの移動を防止することの他に、アーチワイヤと、アーチワイヤスロットおよび閉塞部材（またはいくつかの実施形態においては歯肉側タイウィングの閉塞部分）の組み合わせとの間の接触表面積の増大を提供することである。このアーチワイヤと歯列矯正用ブラケットそれ自体との間の接触表面積の増大および接触線の延長は、従来技術のシャムツイン型ブラケットよりも高いモーメントアームをもたらし、従って、アーチワイヤ自体においては比較的少ない張力で、または別例としてより細いアーチワイヤを使用して、より高い力が歯牙に適用されうるので、より有効な矯正治療が提供されうる。加えて、より幅広いロッキングシャッターはアーチワイヤの鋭角な屈曲を防止して、初期の歯牙移動の際のアーチワイヤの切欠き形成（ｎｏｔｃｈｉｎｇ）または拘束（ｂｏｎｄｉｎｇ）および中期的治療の歯牙移動の際の歯牙の滑りを防止する。
【００３５】
更に、本明細書中に記載されるような歯列矯正用ブラケットは、歯牙の前面に平行な平面上の軸の周囲における垂直方向の回動力の増大をもたらす。垂直方向の回動力の増大は、ブラケット７１０が配置されているそれぞれの歯牙の角度の調節に関してブラケット７１０の歯列矯正効果を支援する。更に、閉塞部材が歯肉側タイウィングの外側表面に配置されるか、または歯肉側タイウィングと一体的に形成される実施形態では、該閉塞部材は、該閉塞部材でアーチワイヤ３８０の接点の間の距離を広げることにより垂直方向の高さ調節能力および（図８に示されるような）垂直方向の回動制御を支援する。類似の利点は水平方向の回動力の増大によって可能となる。
【００３６】
歯肉側タイウィングの間に垂直方向の空間を有する他のシャムツインブラケットの例、その例において使用される材料、および本発明が適用されうる構造物のその他の詳細は、２００２年４月９日にヴードリスらに付与された米国特許第６，３６８，１０５号明細書、および２００１年１月２日にヴードリスに付与された米国特許第６，１６８，４２８号明細書に記載されており、前記各特許文献の内容は参照により本願に援用される。
【００３７】
明確にするために、出願人は本明細書および特許請求の範囲の全体にわたって使用される用語について以下の定義を提供する。「ロッキングシャッター」に関しては、歯列矯正用ブラケットの一部分であってアーチワイヤの閉じ込め、包囲、固定化、移動防止を行うことのできる部分を指す。「保持溝部」に関しては、ロッキングシャッターを適所に固定するためにロッキングシャッターの一部による係合を可能にする窪みまたは小型の穴部を指す。
【図３Ａ】
2014512852.tif 000003
【図３Ｂ】
2014512852.tif 000004
【図４Ａ】
2014512852.tif 000005
【図４Ｂ】
2014512852.tif 000006
【図４Ｃ】
2014512852.tif 000007
【図４Ｄ】
2014512852.tif 000008
【図５Ａ】
2014512852.tif 000009
【図５Ｂ】
2014512852.tif 000010
【図６Ａ】
2014512852.tif 000011
【図６Ｂ】
2014512852.tif 000012
【図７Ａ】
2014512852.tif 000013
【図７Ｂ】
2014512852.tif 000014
【図８】
2014512852.tif 000015
【図１Ａ】
2014512852.tif 000016
【図１Ｂ】
2014512852.tif 000017
【図２Ａ】
2014512852.tif 000018
【図２Ｂ】
2014512852.tif 000019
【手続補正書】
【提出日】平成25年1月17日(2013.1.17)
【手続補正１】
【補正対象書類名】特許請求の範囲
【補正対象項目名】全文
【補正方法】変更
【補正の内容】
【特許請求の範囲】
【請求項１】
アーチワイヤを歯牙に取り付けるための歯列矯正用ブラケットであって、
歯牙に取り付けるためのベースを備えた本体であって、前記ベースが咬合〜歯肉側に広がる開口部、舌側の垂直スロット、１対の横方向に間隔を置いて配置された歯肉側タイウィングおよび１対の横方向に間隔を置いて配置された咬合側タイウィングを有し、かつ前記歯肉側タイウィングおよび咬合側タイウィングは該本体の唇側表面から突出している、本体と、
アーチワイヤスロットであって、アーチワイヤを収容するために、前記本体を横切って近遠心方向に、かつ前記本体の向かい合う近心側および遠心側において歯肉側タイウィングと咬合側タイウィングとの間に、延在する、アーチワイヤスロットと、
一方の端部に少なくとも１つの弾性アーム部材を備え、他方の端部に保持部分を備えているロッキングシャッターであって、前記アーチワイヤの設置および除去が容易である開位置と、前記アーチワイヤの設置および除去が抑制される閉位置との間を移動可能である、ロッキングシャッターと、
前記閉位置において前記ロッキングシャッターの前記保持部分を着脱可能に保持するために前記歯肉側タイウィングの咬合側壁部に形成された保持溝部と、
前記アーチワイヤが前記アーチワイヤスロットから出て前記保持溝部の中へ移動するのを防止するための少なくとも１つの閉塞部であって、前記歯肉側タイウィングのうち少なくとも一方から延在する閉塞部と
を含んでなる歯列矯正用ブラケット。
【請求項２】
前記閉塞部は、前記歯肉側タイウィングのうち少なくとも一方の外側表面上の閉塞部材を含んでなる、請求項１に記載の歯列矯正用ブラケット。
【請求項３】
前記閉塞部は、前記歯肉側タイウィングのうち少なくとも一方の内側表面上の閉塞部材を含んでなる、請求項１に記載の歯列矯正用ブラケット。
【請求項４】
前記閉塞部材は矩形のブロックを含んでなる、請求項２に記載の歯列矯正用ブラケット。
【請求項５】
前記歯肉側タイウィングは、タイウィング本体と、前記タイウィング本体から延びる唇側に湾曲した部分と、を含んでなる、請求項１に記載の歯列矯正用ブラケット。
【請求項６】
前記閉塞部は、前記歯肉側タイウィングの歯肉側端面と位置合わせされた長尺端面、および、前記歯肉側タイウィングの前端面と位置合わせされた短尺端面を含んでなる、請求項１に記載の歯列矯正用ブラケット。
【請求項７】
アーチワイヤを歯牙に取り付けるための歯列矯正用ブラケットであって、
歯牙に取り付けるためのベースを備えた本体であって、前記ベースが咬合〜歯肉側に広がる開口部、舌側の垂直スロット、１対の横方向に間隔を置いて配置された歯肉側タイウィングおよび１対の横方向に間隔を置いて配置された咬合側タイウィングを有し、かつ前記歯肉側タイウィングおよび咬合側タイウィングは該本体の唇側表面から突出している、本体と、
アーチワイヤスロットであって、アーチワイヤを収容するために、前記本体を横切って近遠心方向に、かつ前記本体の向かい合う近心側および遠心側において歯肉側タイウィングと咬合側タイウィングとの間に、延在する、アーチワイヤスロットと、
少なくとも１つの弾性アーム部材を備えているロッキングシャッターであって、前記アーチワイヤの設置および除去が容易である開位置と、前記アーチワイヤの設置および除去が抑制される閉位置との間を移動可能であるロッキングシャッターと、
前記閉位置において前記ロッキングシャッターの保持部分を着脱可能に保持するために前記歯肉側タイウィングの咬合側壁部に形成された保持溝部と、
前記歯肉側タイウィングのうち少なくとも一方の外側表面上の閉塞部材と、
を含んでなり、
前記閉塞部材は、前記アーチワイヤと前記ブラケットとの間の接触面積を増大させる、歯列矯正用ブラケット。
【請求項８】
前記閉塞部材は前記歯肉側タイウィングと一体的に形成される、請求項７に記載の歯列矯正用ブラケット。
【請求項９】
前記閉塞部材は矩形のブロックを含んでなる、請求項７に記載の歯列矯正用ブラケット。
【請求項１０】
前記閉塞部材は前記アーチワイヤスロットの外端を越えて延在し、前記保持溝部を包囲するような大きさその他の寸法に形成される、請求項７に記載の歯列矯正用ブラケット。
【請求項１１】
前記閉塞部材は、前記歯肉側タイウィングの歯肉側端面と位置合わせされた長尺端面、および、前記歯肉側タイウィングの前端面と位置合わせされた短尺端面を含んでなる、請求項７に記載の歯列矯正用ブラケット。
【請求項１２】
アーチワイヤが歯列矯正用ブラケットのアーチワイヤスロットから出て保持溝部の中へと移動するのを防止する方法であって、該歯列矯正用ブラケットは、歯牙に取り付けるためのベースを備えた本体であって、前記ベースが咬合〜歯肉側に広がる開口部、舌側の垂直スロット、１対の横方向に間隔を置いて配置された歯肉側タイウィングおよび１対の横方向に間隔を置いて配置された咬合側タイウィングを有し、かつ前記歯肉側タイウィングおよび咬合側タイウィングは該本体の唇側表面から突出している、本体と；アーチワイヤスロットであって、アーチワイヤを収容するために、前記本体を横切って近遠心方向に、かつ前記本体の向かい合う近心側および遠心側において歯肉側タイウィングと咬合側タイウィングとの間に、延在する、アーチワイヤスロットと；少なくとも１つの弾性アーム部材を備えているロッキングシャッターであって、前記アーチワイヤの設置および除去が容易である開位置と、前記アーチワイヤの設置および除去が抑制される閉位置との間を移動可能であるロッキングシャッターと；前記閉位置において前記ロッキングシャッターの保持部分を着脱可能に保持するために前記歯肉側タイウィングの咬合側壁部に形成された保持溝部と、を含んでなり、
該方法は、前記歯肉側タイウィングのうち少なくとも一方から延在する少なくとも一つの閉塞部を提供することによって前記保持溝部の端部を閉塞せしめることにより前記アーチワイヤが移動して保持溝部に入るのを防止することを含んでなる、方法。
【請求項１３】
歯列矯正用ブラケットに対してアーチワイヤによって加えられる垂直方向の回動力を増大させる方法であって、該歯列矯正用ブラケットは、歯牙に取り付けるためのベースを備えた本体であって、前記ベースが咬合〜歯肉側に広がる開口部、舌側の垂直スロット、１対の横方向に間隔を置いて配置された歯肉側タイウィングおよび１対の横方向に間隔を置いて配置された咬合側タイウィングを有し、かつ前記歯肉側タイウィングおよび咬合側タイウィングは該本体の唇側表面から突出している、本体と；アーチワイヤスロットであって、アーチワイヤを収容するために、前記本体を横切って近遠心方向に、かつ前記本体の向かい合う近心側および遠心側において歯肉側タイウィングと咬合側タイウィングとの間に、延在する、アーチワイヤスロットと；少なくとも１つの弾性アーム部材を備えているロッキングシャッターであって、前記アーチワイヤの設置および除去が容易である開位置と、前記アーチワイヤの設置および除去が抑制される閉位置との間を移動可能であるロッキングシャッターと；前記閉位置において前記ロッキングシャッターの保持部分を着脱可能に保持するために前記歯肉側タイウィングの咬合側壁部に形成された保持溝部と、を含んでなり、
該方法は、前記保持溝部を包囲し、かつそれにより前記アーチワイヤが接触する前記歯肉側タイウィング上の表面積を増大させるために、前記歯肉側タイウィングの外側表面を拡張することを含んでなる、方法。
【国際調査報告】
2014512852.tif 000020
2014512852.tif 000021
2014512852.tif 000022